(57)【要約】【課題】電解水を生成する電解水生成装置、及び、この電解水生成装置を備えた空気調和除菌システムおいて、電装ボックス内の電気回路部への水や塵埃等の侵入を防止しつつ、電気回路部を冷却する。【解決手段】貯水タンク５１内の水を電気分解して電解水を生成する電解水循環供給部５において、単一のケース５０内に、貯水タンク５１と、貯水タンク５１内の水を電気分解して電解水を生成する電解ユニット５２と、電解ユニット５２が生成した電解水を空気除菌部へ供給する送水ポンプ５３と、電解ユニット５２及び送水ポンプ５３に電源を供給する電気回路部３３を収容した電装ボックス３０とが収容され、電装ボックス３０がケース５０内の空気を取り込んで、電気回路部３３を冷却し、ケース５０外に排気するファン９３を備えた。【選択図】図９
2010099605.tif 000002
【特許請求の範囲】
【請求項１】
水槽内の水を電気分解して電解水を生成する電解水生成装置において、
単一のケース内に、前記水槽と、前記水槽内の水を電気分解して電解水を生成する電解ユニットと、前記電解ユニットが生成した電解水を外部へ供給する電解水供給ポンプと、前記電解ユニット及び前記電解水供給ポンプに電源を供給する電気回路部を収容した電装ボックスとが収容され、前記電装ボックスが前記ケース内の空気を取り込んで、前記電気回路部を冷却し、前記ケース外に排気するファンを備えたこと、
を特徴とする電解水生成装置。
【請求項２】
前記電装ボックスの通気口が前記ケース手前側に位置し、
前記ケース内に空気を導入する導入孔が前記ケース奥側に形成されると共に、前記電装ボックスの排気口に連通する排出孔が前記ケース手前側に形成され、前記ケース内の空気が前記ケース奥側から前記ケース手前側に流れて前記電装ボックスの前記通気口に取り込まれること、
を特徴とする請求項１に記載の電解水生成装置。
【請求項３】
前記水槽に供給される食塩水を貯留する食塩水タンクが前記ケース奥側に設けられ、
前記水槽及び前記食塩水タンクが前記導入孔に対向し、前記導入孔から導入される空気が、前記ケースの側面パネルと前記水槽との間、及び前記ケースの側面パネルと前記食塩水タンクとの間に形成された隙間を通って前記電装ボックスに達すること、
を特徴とする請求項２記載の電解水生成装置。
【請求項４】
前記通気口を、前記導入孔よりも高い位置に設けたこと、
を特徴とする請求項２または３記載の電解水生成装置。
【請求項５】
前記排気口と前記排出孔とを繋ぐ接続部が設けられ、
前記接続部は、前記排気口から前記排出孔に向けて下って傾斜していること、
を特徴とする請求項２から４のいずれかに記載の電解水生成装置。
【請求項６】
前記ケースの下方側に開口を有するフードで前記排出孔を覆い、このフードを介して前記ケースの下方に向けて排気すること、
を特徴とする請求項２から５のいずれかに記載の電解水生成装置。
【請求項７】
一つの大空間に開口した複数の吹出し口に給気ダクトを介して接続され、該給気ダクトを介して各吹出し口に調和空気を供給する空気調和機を設け、
該空気調和機から複数の吹出し口に向かう送風路にチャンバを設け、
該チャンバ内に調和空気と電解水とを接触させて該調和空気を除菌する複数の気液接触部材を有する空気除菌部と、該空気除菌部の気液接触部材に供給される電解水を生成する電解水生成装置とを備え、
該電解水生成装置は、
単一のケース内に、水槽と、前記水槽内の水を電気分解して電解水を生成する電解ユニットと、前記電解ユニットが生成した電解水を前記空気除菌部へ供給する電解水供給ポンプと、前記電解ユニット及び前記電解水供給ポンプに電源を供給する電気回路部を収容した電装ボックスとを収容し、前記電装ボックスが前記ケース内の空気を取り込んで、電気回路部を冷却し、前記ケース外に排気するファンを備えたこと、
を特徴とする空気調和除菌システム。
【発明の詳細な説明】
【技術分野】
【０００１】
本発明は、電解水を生成する電解水生成装置、及び、この電解水生成装置を備えた空気調和除菌システムに関する。
【背景技術】
【０００２】
従来、水道水を電気分解して次亜塩素酸を含む電解水を生成させ、この電解水を用いて空気中に浮遊するウィルス等の除去を図った除菌装置が提案されている（例えば、特許文献１参照）。この除菌装置は、不織布等からなる加湿エレメントに電解水を供給して、加湿エレメント上で空気中のウィルス等を電解水に接触せしめ、ウィルス等を不活化することにより、空気を除菌しようとするものである。
【特許文献１】特開２００２−１８１３５８号公報
【発明の開示】
【発明が解決しようとする課題】
【０００３】
ところで、電解水を生成する電解ユニットや、この電解ユニットへの電力供給や電解ユニット等の制御を行う電気回路部を収容した電装ボックスを、筐体としてのケースに収納して電解水生成装置を構成し、除菌装置に電解水を供給することが考えられる。この場合、電気回路部には水や塵埃等が侵入しないことが望ましく、さらに、電気回路部は装置の運転に伴い発熱するため、冷却されることが望ましい。
【０００４】
そこで、本発明は、電解水を生成する電解水生成装置、及び、この電解水生成装置を備えた空気調和除菌システムおいて、電装ボックス内の電気回路部への水や塵埃等の侵入を防止しつつ、電気回路部を冷却できるようにすることを目的とする。
【課題を解決するための手段】
【０００５】
上記課題を解決するため、本発明は、水槽内の水を電気分解して電解水を生成する電解水生成装置において、単一のケース内に、前記水槽と、前記水槽内の水を電気分解して電解水を生成する電解ユニットと、前記電解ユニットが生成した電解水を外部へ供給する電解水供給ポンプと、前記電解ユニット及び前記電解水供給ポンプに電源を供給する電気回路部を収容した電装ボックスとが収容され、前記電装ボックスが前記ケース内の空気を取り込んで、前記電気回路部を冷却し、前記ケース外に排気するファンを備えたことを特徴とする電解水生成装置を提供する。
この構成によれば、電解水生成装置のケース内に設けられた電装ボックスがファンを備え、このファンが、ケース内の空気を電装ボックス内に取り込んで電気回路部を冷却し、電気回路部を冷却した空気をケース外に排出する。これにより、電装ボックス内を流れる空気により電気回路部を冷却でき、さらに、電装ボックス内に取り込まれる空気はケース内の空気であるため、水や塵埃等の電気回路部への侵入を防止できる。
【０００６】
上記構成において、前記電装ボックスの通気口が前記ケース手前側に位置し、前記ケース内に空気を導入する導入孔が前記ケース奥側に形成されると共に、前記電装ボックスの排気口に連通する排出孔が前記ケース手前側に形成され、前記ケース内の空気が前記ケース奥側から前記ケース手前側に流れて前記電装ボックスの前記通気口に取り込まれるものとしても良い。
この場合、ケース奥側の導入孔から導入された空気は、ケースの手前側に位置する通気口から電装ボックスに導入され、ケースの手前側に形成された排出孔からケース外に排出される。これにより、導入孔から電装ボックスの通気口までの距離が比較的長く確保されており、導入孔から雨水や塵埃等が侵入したとしても、雨水や塵埃等が通気口まで到達しにくいため、電気回路部への水や塵埃等の侵入を防止しつつ、電気回路部を冷却できる。
【０００７】
また、前記水槽に供給される食塩水を貯留する食塩水タンクが前記ケース奥側に設けられ、前記水槽及び前記食塩水タンクが前記導入孔に対向し、前記導入孔から導入される空気が、前記ケースの側面パネルと前記水槽との間、及び前記ケースの側面パネルと前記食塩水タンクとの間に形成された隙間を通って前記電装ボックスに達するようにしても良い。
この場合、導入孔からケース内に導入された空気は、水槽及び食塩水タンクに衝突し、その後、ケースの側面パネルと水槽との間、及び、ケースの側面パネルと食塩水タンクとの間に形成された隙間を通る。これにより、導入孔の近傍における気流の勢いを弱めて雨水や塵埃等を隙間内に留めることができ、雨水や塵埃等が電装ボックス内に取り込まれることを抑制できる。
【０００８】
また、前記通気口を、前記導入孔よりも高い位置に設けても良い。
この場合、電装ボックスの通気口が導入孔よりも高い位置にあるため、導入孔からケース内に侵入した雨水や塵埃等は電装ボックスに達する前に落下し、電装ボックス内に雨水や塵埃等が侵入することを防止できる。
【０００９】
さらに、前記排気口と前記排出孔とを繋ぐ接続部が設けられ、前記接続部は、前記排気口から前記排出孔に向けて下って傾斜していても良い。
この場合、接続部が電装ボックスの排気口から排出孔に向けて下って傾斜しているため、排出孔から雨水や塵埃等が接続部に侵入したとしても、雨水や塵埃等は傾斜した接続部に沿って下方へ流れ、排出孔から排出される。これにより、排出孔から電装ボックス内に雨水や塵埃等が侵入することを防止できる。
さらにまた、前記ケースの下方側に開口を有するフードで前記排出孔を覆い、このフードを介して前記ケースの下方に向けて排気しても良い。
この場合、排出孔がフードで覆われ、電装ボックスの排気は下方に向けて開口するフードから下向きに排気される。これにより、ケース内に排出孔の上方から雨水や塵埃等が侵入することを防止できる。
【００１０】
また、本発明は、一つの大空間に開口した複数の吹出し口に給気ダクトを介して接続され、該給気ダクトを介して各吹出し口に調和空気を供給する空気調和機を設け、該空気調和機から複数の吹出し口に向かう送風路にチャンバを設け、該チャンバ内に調和空気と電解水とを接触させて該調和空気を除菌する複数の気液接触部材を有する空気除菌部と、該空気除菌部の気液接触部材に供給される電解水を生成する電解水生成装置とを備え、該電解水生成装置は、単一のケース内に、水槽と、前記水槽内の水を電気分解して電解水を生成する電解ユニットと、前記電解ユニットが生成した電解水を前記空気除菌部へ供給する電解水供給ポンプと、前記電解ユニット及び前記電解水供給ポンプに電源を供給する電気回路部を収容した電装ボックスとを収容し、前記電装ボックスが前記ケース内の空気を取り込んで、電気回路部を冷却し、前記ケース外に排気するファンを備えたことを特徴とする空気調和除菌システムを提供する。
この構成によれば、電解水生成装置のケース内に設けられた電装ボックスがファンを備え、このファンが、ケース内の空気を電装ボックス内に取り込んで電気回路部を冷却し、電気回路部を冷却した空気をケース外に排出する。これにより、電装ボックス内を流れる空気により電気回路部を冷却でき、さらに、電装ボックス内に取り込まれる空気はケース内の空気であるため、水や塵埃等の電気回路部への侵入を防止できる。
【発明の効果】
【００１１】
本発明によれば、電解水を生成する電解水生成装置、及び、この電解水生成装置を備えた空気調和除菌システムにおいて、電装ボックス内の電気回路部への水や塵埃等の侵入を防止しつつ、電気回路部を冷却できる。
【発明を実施するための最良の形態】
【００１２】
以下、図面を参照して本発明の実施の形態について説明する。
本実施の形態では、大空間施設の一例としての映画館１００に、ルーフトップ型空気調和機（以下、空気調和機という）１１０を設置した場合について説明する。図１は、映画館１００と空気調和機１１０の概略図である。
図１に示すように、映画館１００には、前方にスクリーン１０１が配置され、スクリーン１０１の後方に階段状に客席部１０２が設けられている。一方、映画館１００の天井部１０３には、空気調和機１１０から供給された調和空気を館内に吹き出す複数の吹出口１０４が設けられている。これら吹出口１０４は、給気ダクト１０５を介して、空気調和機１１０の供給口１１１に連結されている。
また、映画館１００の床部１０６には、床部１０６付近の館内空気（内気）を吸い込む吸込口１０７が設けられている。吸込口１０７は、客席部１０２から見てスクリーン１０１の背面側に設けられ、スクリーン１０１の背後空間を上方に延びる吸気ダクト１０８を介して、空気調和機１１０の内気導入口１１２に連結されている。また、空気調和機１１０には、空気調和機１１０内に屋外の空気（外気）を導入する外気導入口１１３が形成されている。
映画館１００内の空気は、矢印Ｘで示すように、吸込口１０７から吸い込まれ、吸気ダクト１０８及び内気導入口１１２を通じて、空気調和機１１０内に導かれる。ここで、空気調和機１１０内には、外気導入口１１３を通じて外気が導かれているため、この外気と上記内気とが当該空気調和機１１０内で混合される。この混合された空気は、空気調和機１１０が備える利用側熱交換器２１（図２）で熱交換された後、供給口１１１及び給気ダクト１０５を通じて、吹出口１０４から調和空気として映画館１００内に供給される。
【００１３】
空気調和機１１０は、例えば、映画館、劇場、病院、または、ショッピングセンタ等、不特定多数の人が長時間滞在する大空間施設を有する構造物２００の屋上に設置され、その直下あるいは近傍の空間を空気調和する。
図２及び図３は空気調和機１１０の構成を示す図であり、図２は空気調和機１１０の概略構成を示す図、図３は空気調和機１１０における空気の出入りを示す模式図である。
【００１４】
図２及び図３に示すように、空気調和機１１０は、１つの筐体１１４に熱源側ユニット１と利用側ユニット２とを一体に備えて構成される。
具体的には、筐体１１４内は、仕切板１１５によって区分けされており、機械室である一方の室１１６に熱源側ユニット１が配置され、他方の室１１７に利用側ユニット２が配置されている。これら熱源側ユニット１及び利用側ユニット２は、冷媒配管１０で連結されて冷媒回路を形成している。
熱源側ユニット１は、図２に示すように、冷媒配管１０に設けられた圧縮機１１を備え、圧縮機１１の吸込側に、アキュムレータ１２が接続され、その吐出側には四方弁１３と熱源側熱交換器１４と電動膨張弁１５とが順に接続されている。また、熱源側ユニット１には、熱源側熱交換器１４へ向かって送風する熱源側送風機１６が配設されている。
一方、利用側ユニット２は、上記冷媒配管１０を介して電動膨張弁１５に接続される利用側熱交換器２１と、利用側熱交換器２１へ向かって送風する利用側送風機２２とを備えて構成され、当該利用側熱交換器２１は、上記冷媒配管１０を介して上記四方弁１３に接続されている。
【００１５】
冷房運転時には、図２に示す実線矢印の方向に冷媒が流れるように、四方弁１３が切り換えられる。圧縮機１１から吐出された高圧の冷媒は、四方弁１３を経て熱源側熱交換器１４に達し、熱源側熱交換器１４において凝縮されて電動膨張弁１５に送られる。この高圧の冷媒は電動膨張弁１５で膨張して利用側熱交換器２１に流入し、利用側熱交換器２１において蒸発することにより、利用側ユニット２内に導入された空気を冷却する。利用側熱交換器２１で蒸発した冷媒は圧縮機１１の吸込側に戻る。
また、暖房運転時には、図２に示す破線矢印の方向に冷媒が流れるように、四方弁１３が切り換えられる。圧縮機１１から吐出された高圧の冷媒は、利用側熱交換器２１に送られ、利用側熱交換器２１において凝縮することにより、利用側ユニット２内に導入された空気を加温する。利用側熱交換器２１で凝縮した冷媒は、電動膨張弁１５で膨張して熱源側熱交換器１４に流入し、熱源側熱交換器１４で蒸発した後、四方弁１３を介してアキュムレータ１２に送られ、圧縮機１１の吸込側に戻る。
【００１６】
空気調和機１１０には、利用側送風機２２の運転により、利用側熱交換器２１で冷房または暖房された調和空気を除菌する除菌ユニット１５０が設けられており、本実施形態では、空気調和機１１０と、空気調和機１１０内に設けられた除菌ユニット１５０とを備えて空気調和除菌システムが構成される。
除菌ユニット１５０は、図２に示すように、利用側ユニット２に導入された空気に活性酸素種を含む電解水を接触させて空気の除菌を行う空気除菌部４と、所定のイオン種を含む水を電気分解して活性酸素種を含む当該電解水を生成し、この電解水を上記空気除菌部４に循環供給する電解水循環供給部５とを備えている。
【００１７】
利用側ユニット２が設けられる他方の室１１７は、図３に示すように、仕切板１１８によって、さらに熱交換室１１９とチャンバとしての除菌室１２０とに区分けされている。
熱交換室１１９には、上記した内気導入口１１２及び外気導入口１１３が形成され、これら内気導入口１１２及び外気導入口１１３の下流側に利用側熱交換器２１が筋交い状に配置されている。熱交換室１１９には内気導入口１１２から映画館１００の館内空気が流入する一方、外気導入口１１３から外気が流入するので、利用側熱交換器２１は、内気導入口１１２からの内気及び外気導入口１１３からの外気が全て利用側熱交換器２１を通過するように配置されている。利用側熱交換器２１は、図３に示すように上記２つの開口部と利用側送風機２２との間に配置され、筋交いのように位置する。
また、仕切板１１８には、熱交換室１１９と除菌室１２０とを連通させる開口１１８Ａが形成されている。開口１１８Ａには利用側送風機２２が取り付けられ、利用側送風機２２の運転により、熱交換室１１９内の空気が開口１１８Ａを通じて除菌室１２０に送風される。除菌室１２０には利用側送風機２２の下流側に空気除菌部４が配置され、空気除菌部４の下流側には、供給口１１１を介して給気ダクト１０５（図１）に連通する後室１２１が形成されている。利用側ユニット２に導入された空気は、除菌室１２０を通過する際に空気除菌部４で電解水と接触することにより除菌され、除菌された空気が後室１２１、供給口１１１及び給気ダクト１０５を通じて、映画館１００内に循環供給される。
【００１８】
図４は、除菌ユニット１５０の概略構成を示す図である。
除菌ユニット１５０は、除菌室１２０内に配置される空気除菌部４と上記除菌室１２０に隣接して配置される電解水循環供給部５とを備える。電解水循環供給部５は、除菌能を有する電解水を生成して空気除菌部４に循環供給し、空気除菌部４は、電解水循環供給部５から供給される電解水と空気とを接触させて空気を除菌する。
空気除菌部４は、６つのエレメントユニット４０Ａ、４０Ｂ、４０Ｃ、４０Ｄ、４０Ｅ、４０Ｆを備えている。エレメントユニット４０Ａ〜４０Ｆは、それぞれ、２枚の気液接触部材を組み合わせて構成されており、本実施形態では合わせて１２枚の気液接触部材４１Ａ１〜４１Ｆ１、４１Ａ２〜４１Ｆ２が用いられている。６つのエレメントユニット４０Ａ〜４０Ｆは、後述するように、除菌室１２０内の送風路のほぼ全面を覆うように並べて配設され、除菌室１２０内を通る空気が漏れなく気液接触部材４１Ａ１〜４１Ｆ２を通過する構成となっている。
【００１９】
気液接触部材４１Ａ１〜４１Ｆ２は、送風路１２０Ａを通過する空気に電解水を接触させる部材であり、これら気液接触部材４１Ａ１〜４１Ｆ２において送風路１２０Ａを流れる空気が所定の活性酸素種を含む電解水に接触することにより、空気中に含まれるウィルス等が不活化されて空気の除菌が行われる。
気液接触部材４１Ａ１〜４１Ｆ２は、ハニカム構造に似た３次元構造を持ったフィルタ部材であり、気体に接触するエレメント部をフレームにより支持する構造を有する。エレメント部は、図示を省略するが、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水の滴下が可能で、目詰まりしにくい構造になっている。
エレメント部には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。また、エレメント部には親水性処理が施され、電解水に対する親和性が高められており、これによって、気液接触部材４１Ａ１〜４１Ｆ２の電解水の保水性（湿潤性）が保たれ、後述する活性酸素種（活性酸素物質）と空気との接触が長時間持続される。
【００２０】
気液接触部材の数は、除菌室１２０を通過する空気量に応じて決定されるものであり、送風路１２０Ａを通過する空気量と１枚あたりの気液接触部材の除菌能力（気体接触面積）とから好適な数を算出でき、当該空気を十分に除菌できる数の気液接触部材が除菌室１２０に配置される。本実施形態を例に挙げれば、１２枚の気液接触部材４１Ａ１〜４１Ｆ１、４１Ａ２〜４１Ｆ２が用いられる。
【００２１】
また、電解水生成装置としての電解水循環供給部５は、貯水タンク５１と、貯水タンク５１内の水を電気分解して電解水を生成する電解ユニット５２と、貯水タンク５１内の電解水を空気除菌部４の各気液接触部材４１Ａ１、Ａ２〜４１Ｆ１、Ｆ２にそれぞれ供給する電解水供給管５６と、電解水供給管５６上に設けられた送水ポンプ５３（電解水供給ポンプ）と、送水ポンプ５３の下流側で上記電解水供給管５６から分岐して電解ユニット５２に接続される分岐管５４と、上記ドレンパン４４に流下した水を貯水タンク５１に導く循環水戻り管５５と、上記電解ユニット５２、送水ポンプ５３等の動作を制御する制御部６５とを備える。
【００２２】
貯水タンク５１には、この貯水タンク５１に市水（水道水）等を供給する給水管５７と、給水弁５８とが接続され、給水弁５８は、貯水タンク５１内に設けられるフロートスイッチＦＳの動作に基づき、制御部６５によって開閉制御される。ここで、給水管５７に接続されて、貯水タンク５１に水を供給する給水源は、市水或いは給水槽等に貯留された水等のいずれであってもよい。この給水槽等に貯留される水とは、水道水等のように塩化物イオン等のイオン種が予め含有されている水であってもよいし、井戸水等の塩化物イオンの濃度の希薄な水を使う場合には、この水に塩化物イオンを添加して水道水相当に調整された水であってもよい。本実施形態では、これらを総称して水という。
本構成では、貯水タンク５１には、井戸水等の塩化物イオン濃度の希薄な水を使用した場合であっても、この水に塩化物イオンを添加するために、予め所定の濃度に調整された食塩水を貯留した食塩水タンク５９が設けられ、この食塩水タンク５９には食塩水供給管６０を介して供給ポンプ６１が接続されており、供給ポンプ６１によって食塩水タンク５９内の食塩水が貯水タンク５１に供給される。貯水タンク５１に接続される食塩水供給管６０には逆止弁６２が設けられている。供給ポンプ６１は、例えば、電解ユニット５２で検出される導電率に基づいて制御部６５の制御によって動作するように構成されている。
なお、活性酸素種を効率よく発生させるために貯水タンク５１内の水に添加される電解質は食塩に限らず、他の電解質を用いることも可能であり、例えば、塩化カルシウムや塩化マグネシウムを用いてもよいし、他のハロゲンを含む含ハロゲン塩や、塩素及び他のハロゲンの各種ハロゲン酸塩を用いることも可能であり、ハロゲンを含まない電解質を用いてもよい。これらの電解質は水溶性であることが好ましい。
【００２３】
また、本実施形態では、貯水タンク５１の接続口に接続される電解水供給管５６は、６本の電解水供給管５６Ａ〜５６Ｆにそれぞれ分岐され、送水ポンプ５３から送られた電解水が各電解水供給管５６Ａ〜５６Ｆに略均等に分流されるようになっている。電解水供給管５６Ａ〜５６Ｆは、それぞれエレメントユニット４０Ａ〜４０Ｆに対して電解水を供給する。電解水供給管５６Ａ〜５６Ｆにより供給された電解水は、気液接触部材４１Ａ１〜４１Ｆ２に浸潤され、これら気液接触部材４１Ａ１〜４１Ｆ２から流下してドレンパン４４に集められ、循環水戻り管５５を介して貯水タンク５１に戻る。
【００２４】
電解ユニット５２は、貯水タンク５１の側面に固定配置されている。具体的には、電解ユニット５２は、有底円筒形状の本体ケースと、本体ケース内に収納される少なくとも一対の電極板７２、７３とを備え、これら電極板７２、７３間に電圧を印加することにより、水を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００２５】
電極板７２、７３は、例えば、ベースがチタン（Ｔｉ）で構成された２枚の電極板であり、その表面には、それぞれ、イリジウム（Ｉｒ）を含む皮膜層、及び、白金（Ｐｔ）を含む皮膜層を有する。
上記電極板７２、７３間に電圧を印加すると、カソード電極（陰極）では、下記式（１）に示すように反応する。
２Ｈ2Ｏ＋２ｅ-→Ｈ2＋２ＯＨ-    ・・・（１）
アノード電極（陽極）では、下記式（２）に示すように反応する。
２Ｈ2Ｏ→Ｏ2＋４Ｈ+＋４ｅ-    ・・・（２）
これらカソード電極及びアノード電極での反応を合わせると、下記式（３）に示すように水が電気分解される。
２Ｈ2Ｏ→２Ｈ2＋Ｏ2    ・・・（３）
この反応とともに、アノード電極においては、水に含まれる塩素イオン（塩化物イオン：Ｃｌ-）が下記式（４）に示すように反応し、塩素（Ｃｌ2）が発生する。
２Ｃｌ-→Ｃｌ2＋２ｅ-    ・・・（４）
さらに、この塩素は下記式（５）に示すように水と反応し、次亜塩素酸（ＨＣｌＯ）と塩化水素（ＨＣｌ）が発生する。
Ｃｌ2＋Ｈ2Ｏ→ＨＣｌＯ＋ＨＣｌ    ・・・（５）
【００２６】
アノード電極で発生した次亜塩素酸（広義の活性酸素種）は、強力な酸化作用や漂白作用を有する。次亜塩素酸が溶解した水溶液、すなわち電解ユニット５２により生成される電解水は、ウィルス等の不活化、殺菌、有機化合物の分解等、種々の空気清浄効果を発揮する。このように、次亜塩素酸を含む電解水が電解水供給管５６Ａ〜５６Ｆを流れ、散水ボックスを介して気液接触部材４１Ａ１〜４１Ｆ２に滴下されると、利用側送風機２２により吹き出された空気が気液接触部材４１Ａ１〜４１Ｆ２において次亜塩素酸と接触する。これにより、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材４１Ａ１〜４１Ｆ２から排出される。
【００２７】
活性酸素種によるウィルス等の不活化の作用機序として、インフルエンザウイルスの例を挙げる。上述した活性酸素種は、インフルエンザウイルスの感染に必須とされるウィルスの表面蛋白（スパイク）を破壊、消失（除去）する作用を有する。この表面蛋白が破壊された場合、インフルエンザウイルスと、インフルエンザウイルスが感染するのに必要な受容体（レセプタ）とが結合しなくなり、感染が阻止される。このため、空気中に浮遊するインフルエンザウイルスは、気液接触部材４１Ａ１〜４１Ｆ２において活性酸素種を含む電解水に接触することにより、感染力を失うこととなり、感染が阻止される。
【００２８】
従って、空気調和機１１０の除菌室１２０に気液接触部材４１Ａ１〜４１Ｆ２を備えたエレメントユニット４０Ａ〜４０Ｆ配置することにより、この除菌室１２０を通過する空気が気液接触部材４１Ａ１〜４１Ｆ２で除菌され、図１に示すように、この除菌された空気を映画館１００内で広く行き渡らせることが可能となり、大空間施設内での空気除菌及び脱臭を容易に、効率良く行うことができる。
【００２９】
ここで、電解ユニット５２内の電極板７２、７３のうち任意の側に正電位を与えるための電極の切り替えは、電極の極性を反転させることで行うことができ、本実施形態では、制御部６５によって電極板７２、７３に印加する電圧を変化（反転）させることにより、実行可能である。
また、電解水中の活性酸素種の濃度は、制御部６５の制御下、除菌するウィルス等を不活化させる濃度となるように調整される。活性酸素種の濃度の調整は、電極板７２、７３間に印加する電圧を調整して、電極板７２、７３間に流す電流値を調整することにより行われる。例えば、電極板７２に正の電位を与えて、電極板７２、７３間に流れる電流値を、電流密度で２０ｍＡ（ミリアンペア）／ｃｍ2（平方センチメートル）とすると、所定の遊離残留塩素濃度（例えば１ｍｇ（ミリグラム）／ｌ（リットル））を発生させる。また、電極板７２、７３間に印加する電圧を変更して、電流値を高くすることで、電解水中の次亜塩素酸の濃度を高い濃度に調整できる。
【００３０】
また、貯水タンク５１には、サイホン方式で貯水タンク５１内の水を排水する排水管６７が設けられている。排水管６７は、貯水タンク５１の底部から上方に延びる第１鉛直部６７Ａと、この第１鉛直部６７Ａに連なり略水平方向に延びる水平部６７Ｂと、この水平部６７Ｂに連なりタンク外で下方に延びる第２鉛直部６７Ｃとを備える。この水平部６７Ｂは、通常の貯水タンク５１内の制御水位よりも若干高い位置に設けられており、給水弁５８を開いてこの高さ位置まで給水することにより、サイホンの原理によって貯水タンク５１内の水が排出される。
【００３１】
続いて、空気調和機１１０のより具体的な実施態様を説明する。
図５は、本実施形態における電解水循環供給部５の構成及び設置状態を示す外観斜視図である。理解の便宜を図るため、図５には熱源側ユニット１及び利用側ユニット２と、電解水循環供給部５と熱源側ユニット１及び利用側ユニット２との間に敷設される配管類とを、併せて図示する。
【００３２】
図５に示すように、電解水循環供給部５は、熱源側ユニット１及び利用側ユニット２とは別体として構成されるケース５０を有し、この単一のケース５０に、貯水タンク５１（水槽）、食塩水タンク５９、及び電装ボックス３０を収容して構成される。電解水循環供給部５と除菌室１２０との間には、電解水循環供給部５から除菌室１２０に対して電解水を供給する電解水供給管５６、及び、除菌室１２０から電解水が電解水循環供給部５へ環流する循環水戻り管５５が接続されている。また、電解水循環供給部５には、市水を電解水循環供給部５へ供給する給水管５７が、減圧弁５７Ａを介して接続されている。さらに、電解水循環供給部５には、貯水タンク５１内の水位が所定水位を超えた場合に排水を行うオーバーフロー管６８、及び、貯水タンク５１内の電解水を排出する排水管６７が取り付けられている。また、除菌室１２０には、除菌室１２０内に納められた除菌ユニット１５０から空気調和機１１０の外へ電解水を排水する排水管６９が接続されている。
そして、電解水循環供給部５には、除菌室１２０に近い側に貯水タンク５１が配置され、貯水タンク５１の隣には食塩水タンク５９が並べて配置され、除菌室１２０とは反対側に電装ボックス３０が配置されている。
【００３３】
図６は、電解水循環供給部５の構成を示す分解斜視図である。
図６に示すように、電解水循環供給部５のケース５０は直方体であり、上面が着脱可能な蓋５０Ａとなっていて、底部を構成する底板５０Ｂの縁部に４つの側面がそれぞれ立設されている。これら４つの側面は、複数の配管が引き出される配管引出パネル５０Ｃ（側面パネル）、配管引出パネル５０Ｃと対向する食塩水タンク側パネル５０Ｄ（側面パネル）、電装ボックス３０の側に位置する電装ボックス側パネル５０Ｅ、及び、ケース５０の奥側、すなわち、除菌室１２０（図５）の側に位置する背面パネル５０Ｆにより構成されている。
【００３４】
配管引出パネル５０Ｃは、貯水タンク５１が設置された側の側面に相当し、電解水循環供給部５の外部と貯水タンク５１とに繋がる各種配管を通すための複数の孔が開口している。また、電装ボックス側パネル５０Ｅは背面パネル５０Ｆとは反対側に面する側面であり、配管引出パネル５０Ｃ及び配管引出パネル５０Ｃの端を折り曲げて形成したカバー取付部５０Ｇにネジ止めされている。
蓋５０Ａは、図示しないネジ等により固定され、このネジを取り外すことによって開くことが可能である。蓋５０Ａの開放状態では、ケース５０の内部に収容された電装ボックス３０、貯水タンク５１、送水ポンプ５３、食塩水タンク５９、供給ポンプ６１等の各部へのアクセスが可能となる。
【００３５】
蓋５０Ａは、屋外に設置される電解水循環供給部５への雨水及び塵埃の侵入を防止するため、ケース５０の上面および各側面の上端を覆っている。このため、配管引出パネル５０Ｃ及び電装ボックス側パネル５０Ｅを取り外す場合は、まず蓋５０Ａを取り外すことになる。蓋５０Ａを取り外すと、最初に電装ボックス側パネル５０Ｅが取り外し可能な状態になり、電装ボックス側パネル５０Ｅを取り外すと配管引出パネル５０Ｃが取り外し可能な状態となる。また、貯水タンク５１は、その上方を覆う蓋部材（図示略）により密閉される。
【００３６】
電装ボックス側パネル５０Ｅを取り外すと、ケース５０内における手前側に設けられた電装ボックス３０が露出する。直方体に形成された電装ボックス３０には、制御部６５（図４）を構成するマイコン等が実装された制御基板３１Ａ及び、電解ユニット５２と送水ポンプ５３と供給ポンプ６１とに電源を供給する電源回路部３１Ｂを備えた電気回路部３３が収容されている。電装ボックス３０の手前側の面を構成する電装ボックスカバー３０Ａを取り外すと、電装ボックス３０の一側面が開放され、電装ボックス３０に収容された電気回路部３３へのアクセスが可能になる。
【００３７】
電源回路部３１Ｂ及び制御基板３１Ａは、電装ボックス３０内の奥側に取り付けられている。そして、電源回路部３１Ｂは配管引出パネル５０Ｃの側に配置され、制御基板３１Ａは食塩水タンク側パネル５０Ｄの側に配置されている。制御基板３１Ａは、後述するフロートスイッチＦＳ等の検出値に基づいて、電解ユニット５２、送水ポンプ５３、給水弁５８、供給ポンプ６１等を制御する制御部６５（図４）を実装している。また、電源回路部３１Ｂは、制御部６５の制御に従って、電解ユニット５２、送水ポンプ５３及び供給ポンプ６１を動作させる駆動電流を供給する。制御基板３１Ａ及び電源回路部３１Ｂには、電流が流れるに伴い発熱が生じ、特に電源回路部３１Ｂが出力する電流は制御基板３１Ａよりも大きく、電源回路部３１Ｂは高温になる。
【００３８】
ケース５０内の奥側には、貯水タンク５１と食塩水タンク５９とが並べて配置されている。貯水タンク５１及び食塩水タンク５９は比較的大型に形成され、ケース５０内の奥行方向の半分以上を占めている。電装ボックス３０は、貯水タンク５１と食塩水タンク５９より手前側において、電装ボックス側パネル５０Ｅと略平行に延在している。
また、電装ボックス３０は、その底面３０Ｂがケース５０の底板５０Ｂから浮くように、食塩水タンク側パネル５０Ｄにブラケット３５を介して固定され、電装ボックス３０の下方の空間には、供給ポンプ６１及び送水ポンプ５３が並べて設置されている。
【００３９】
供給ポンプ６１は、食塩水供給管６０を介して食塩水タンク５９の内部に繋がる吸込口６１Ａと、貯水タンク５１の食塩水投入部８５に繋がる吐出口６１Ｂとを有し、吸込口６１Ａから吸い込んだ食塩水を吐出口６１Ｂから吐出する。供給ポンプ６１の脚部６１Ｃは底板５０Ｂに固定されている。
送水ポンプ５３は、貯水タンク５１内の電解水を吸い込む吸込口５３Ａと、吸込口５３Ａから吸い込んだ電解水を除菌室１２０へ吐出する吐出口５３Ｂとを有する。また、吐出口５３Ｂから吐出された電解水の一部は分岐して電解ユニット５２へ供給される。送水ポンプ５３の脚部５３Ｃは底板５０Ｂに固定されている。
貯水タンク５１の電装ボックス３０側の面には、電解ユニット５２が取り付けられるとともに、供給ポンプ６１により送出された食塩水が投入される食塩水投入部８５、及び、貯水タンク５１内の電解水を供給する電解水供給口（図示略）が配置されている。
【００４０】
また、電装ボックス３０の下方に設置された供給ポンプ６１及び送水ポンプ５３は、電装ボックス３０の底面３０Ｂに穿設された配線通し孔３７を通る配線（図示略）によって電源回路部３１Ｂに接続される。
【００４１】
また、貯水タンク５１の配管引出パネル５０Ｃ側の面には、オーバーフロー排出口８１、水抜き口８２、及び、循環水戻り口８４が設けられている。オーバーフロー排出口８１は、貯水タンク５１内の電解水の水位が、オーバーフロー排出口８１の高さを超えた場合に、電解水をオーバーフロー管６８（図５）に排出させる開口部である。循環水戻り口８４は、除菌室１２０からの循環水戻り管５５が接続される開口部である。また、水抜き口８２は、メンテナンス時に貯水タンク５１内の電解水を強制的に全量排水するための開口部であり、手作業により開閉されるコックが取り付けられている。
【００４２】
貯水タンク５１の内部は仕切壁６４によって区画され、仕切壁６４には貫通孔が設けられており、この貫通孔にはスケールフィルタ６６が取り付けられ、電解水は電解ユニット５２側の室から他方の室へスケールフィルタ６６を通って流れる。スケールフィルタ６６の下流側の室には、異なる高さ位置に複数のフロートスイッチＦＳが取り付けられている。
【００４３】
ところで、電解水循環供給部５は、電装ボックス３０内に設けられた制御基板３１Ａ及び電源回路部３１Ｂを、電装ボックス３０内を流れる気流によって冷却可能に構成されている。以下、制御基板３１Ａ及び電源回路部３１Ｂを冷却する構成について説明する。
図６に示すように、配管引出パネル５０Ｃには、側面視において貯水タンク５１と重なる位置、すなわち、ケース５０の奥側（ケース奥側）の位置に、ケース５０内外に連通する導入孔９０が設けられ、導入孔９０からケース５０内に空気が導入される。導入孔９０は、２列に並んで配管引出パネル５０Ｃの下部に形成されている。また、導入孔９０は、その開口部が上方から覆われるように鎧戸状に形成されているため、導入孔９０からの雨水の侵入が防止される。
ここで、ケース５０の奥側とは、ケース５０の奥行における略中間の位置よりも奥の側を指し、後述するケース５０の手前側（ケース手前側）とは、ケース５０の奥側より手前の残りの半分を指している。
【００４４】
また、電装ボックス３０の底面３０Ｂには、ケース５０内に導入された空気を電装ボックス３０内に導く通気口３０Ｃが設けられている。通気口３０Ｃは、電装ボックス３０の底面３０Ｂの一部を、多数の孔を有するパンチングメタルにより構成して設けられている。また、通気口３０Ｃは、電源回路部３１Ｂの下方に設けられている。
さらに、電装ボックス３０が有する側面において食塩水タンク側パネル５０Ｄと面する排気側側面３０Ｄには、電装ボックス３０の外側に連通する排気口３０Ｅが設けられ、排気口３０Ｅには、電装ボックス３０内の空気を排出するファン９３が設けられている。ファン９３は、電装ボックス３０内の上部に取り付けられている。
【００４５】
図７は、ケース５０を食塩水タンク側パネル５０Ｄの側から見た斜視図である。
食塩水タンク側パネル５０Ｄには、ケース５０内外に連通する導入孔９１が設けられ、導入孔９１からケース５０内に空気が導入される。導入孔９１は、導入孔９０と対向する位置に２列に設けられ、食塩水タンク側パネル５０Ｄの下部において鎧戸状に形成されている。また、導入孔９１は、側面視においてケース５０の奥側に形成され、食塩水タンク５９と重なる位置に形成されている。
さらに、食塩水タンク側パネル５０Ｄの上部において電装ボックス側パネル５０Ｅの近傍には、ケース５０内からの排気が通るフード９４が取り付けられている。
【００４６】
図８は、食塩水タンク側パネル５０Ｄをケース５０の内側から見た斜視図である。図９は、電装ボックス３０を含むケース５０の要部断面図である。
ケース５０の手前側における食塩水タンク側パネル５０Ｄの上部には、ケース５０内の空気をケース５０の外側へ排出する排出孔９５が形成されている。排出孔９５は、食塩水タンク側パネル５０Ｄに形成された開口であり、フード９４は、排出孔９５を覆うように取り付けられている。フード９４は、ケース５０の外側に突出するカバー状に形成され、複数のビス９４Ｃにより食塩水タンク側パネル５０Ｄに固定されている。また、フード９４は、ケース５０に取り付けられた状態では、その下面の開口９４Ａが下方を向いている。さらに、フード９４は、排出孔９５と重なる面にパンチングメタル等により構成された網状のメッシュ板９４Ｂを有し、メッシュ板９４Ｂによりケース５０内への塵埃等の異物の侵入を防止しつつ、通気可能に構成されている。
【００４７】
電装ボックス３０の排気口３０Ｅと、ケース５０の排出孔９５とは、食塩水タンク側パネル５０Ｄ側からの側面視において重なるように形成され、排気口３０Ｅは排出孔９５の近傍に配設されている。また、排出孔９５は排気口３０Ｅよりも低い位置に設けられ、排気口３０Ｅと排出孔９５との間には、排気口３０Ｅと排出孔９５とを繋ぐ通風路９６（接続部）が設けられている。通風路９６は、断面四角形の筒状に形成され、排出孔９５の縁部に立設されるように取り付けられている。
【００４８】
排気口３０Ｅには、ファン９３が設けられるとともに、ファン９３の外周を覆いファン９３の気流を整える筒状の風洞カバー９３ａが設けられている。通風路９６は、風洞カバー９３ａに繋がっており、排気口３０Ｅから排出孔９５に向けて下って傾斜している。これにより、排出孔９５から雨水等が通風路９６に侵入した場合において、雨水等は排出孔９５に向けて下って傾斜する通風路９６に沿って流れて排出されるため、電装ボックス３０に雨水等が侵入することを防止できる。また、通風路９６と風洞カバー９３ａとの接続部には、ケース５０内の空気が流れる隙間Ｓが設けられており、ケース５０内において電装ボックス３０の外側の空気は隙間Ｓから排出孔９５に流れる。
【００４９】
図６及び図９に示すように、貯水タンク５１及び食塩水タンク５９は、配管引出パネル５０Ｃ及び食塩水タンク側パネル５０Ｄの近傍にそれぞれ対向して配設され、貯水タンク５１と配管引出パネル５０Ｃとの間、及び、食塩水タンク５９と食塩水タンク側パネル５０Ｄとの間には、幅狭の風路９７がそれぞれ形成されている。
【００５０】
そして、電装ボックス３０内のファン９３の回転により、ケース５０内には図６及び図９に矢印で示す気流Ｐ、Ｑ、Ｒが流れる。
まず、ケース５０の奥側に位置する導入孔９０、９１からケース５０内に導入された空気は、貯水タンク５１及び食塩水タンク５９の側面にそれぞれ衝突し、気流Ｐのように幅狭の風路９７を通り、ケース５０の手前側に流れ、送水ポンプ５３及び供給ポンプ６１の周囲を流れた後、導入孔９０、９１より高い位置にある通気口３０Ｃから電装ボックス３０に流入する。次いで、電装ボックス３０に流入した空気は、気流Ｑのように底面３０Ｂから排気口３０Ｅに向かって上方に流れ、電源回路部３１Ｂ、制御基板３１Ａの順に電気回路部３３の周囲を流れる。この際に、気流Ｑは電気回路部３３で発生した熱を奪い、電源回路部３１Ｂ、制御基板３１Ａを冷却する。その後、電気回路部３３を冷却した空気は、気流Ｒのようにファン９３によって流され、排気口３０Ｅ、通風路９６及びフード９４を経て、開口９４Ａから下向きにケース５０の外側へ排気される。
【００５１】
このように、電解水循環供給部５においては、ケース５０の奥側の導入孔９０、９１から導入された空気は、ケース５０の手前側に位置する電装ボックス３０に流れ、導入孔９０、９１と電装ボックス３０の通気口３０Ｃとの距離が離れている。このため、導入孔９０、９１から雨水や塵埃等がケース５０内に侵入したとしても、雨水や塵埃等は電装ボックス３０の内部に達しにくい。これにより、電装ボックス３０の排気口３０Ｅにファン９３を設けて電装ボックス３０に空気を流入させた場合においても、導入孔９０、９１から侵入した塵埃等の電装ボックス３０への侵入を防止できる。従って、電気回路部３３への塵埃等の侵入を防止しつつ、電気回路部３３を冷却できる。また、気流Ｐが電装ボックス３０の下方に位置する送水ポンプ５３及び供給ポンプ６１の周囲を流れるため、送水ポンプ５３及び供給ポンプ６１の冷却も行うことができる。さらに、塵埃等を捕集するためのフィルタ等を設ける必要がないため、部品点数を削減できる。
【００５２】
以上、本実施形態によれば、電解水循環供給部５のケース５０内に設けられた電装ボックス３０がファン９３を備え、ファン９３が、ケース５０内の空気を電装ボックス３０内に取り込んで電気回路部３３を冷却し、電気回路部３３を冷却した空気をケース５０外に排出する。これにより、電装ボックス３０内を流れる空気により電気回路部３３を冷却でき、さらに、電装ボックス３０内に取り込まれる空気はケース５０内の空気であるため、水や塵埃等の電気回路部３３への侵入を防止できる。
また、ケース５０の奥側の導入孔９０、９１から導入された空気は、ケース５０の手前側に位置する通気口３０Ｃから電装ボックス３０に導入され、ケース５０の手前側に形成された排出孔９５からケース５０外に排出される。これにより、導入孔９０、９１から通気口３０Ｃまでの距離が比較的長く確保されており、導入孔９０、９１から雨水や塵埃等が侵入したとしても、雨水や塵埃等が通気口３０Ｃまで到達しにくいため、電気回路部３３への水や塵埃等の侵入を防止しつつ、電気回路部３３を冷却できる。
【００５３】
また、導入孔９０、９１からケース５０内に導入された空気は、貯水タンク５１及び食塩水タンク５９に衝突し、その後、隙間Ｓを通る。これにより、導入孔９０、９１の近傍における気流Ｐの勢いを弱めて雨水や塵埃等を隙間Ｓ内に留めることができ、雨水や塵埃等が電装ボックス３０内に取り込まれることを抑制できる。
さらに、通気口３０Ｃが導入孔９０、９１よりも高い位置にあるため、導入孔９０、９１からケース５０内に侵入した雨水や塵埃等は電装ボックス３０に達する前に落下し、電装ボックス３０内に雨水や塵埃等が侵入することを防止できる。
【００５４】
さらにまた、通風路９６が排気口３０Ｅから排出孔９５に向けて下って傾斜しているため、排出孔９５から雨水や塵埃等が通風路９６に侵入したとしても、雨水や塵埃等は傾斜した通風路９６に沿って下方へ流れ、排出孔９５から排出される。これにより、排出孔９５から電装ボックス３０内に雨水や塵埃等が侵入することを防止できる。
また、排出孔９５がフード９４で覆われ、電装ボックス３０の排気は下向きの開口９４Ａから下向きに排気されるため、ケース５０内に排出孔９５の上方から雨水や塵埃等が侵入することを防止できる。
【００５５】
以上、実施形態に基づいて本発明を説明したが、本発明はこれに限定されるものではない。例えば、本実施の形態では、ケース５０の奥側に導入孔９０、９１を設け、ケース５０の手前側に電装ボックス３０、通気口３０Ｃ、排気口３０Ｅ及び排出孔９５を設けるものとして説明したが、本発明はこれに限定されるものではない。例えば、ケース５０の奥側に電装ボックス３０、通気口３０Ｃ、排気口３０Ｅ及び排出孔９５を設け、ケース５０の手前側に導入孔９０、９１を設けても良い。その他の細部構成等についても任意に変更可能であることは勿論である。
【図面の簡単な説明】
【００５６】
【図１】本実施形態に係るルーフトップ型空気調和機が建屋に設置された状態を示す断面図である。
【図２】空気調和機の概略構成を示す図である。
【図３】空気調和機の内部構成を上方から見た図である。
【図４】空気調和機に設けられた除菌ユニットの概略構成を示す図である。
【図５】電解水循環供給部の構成及び設置状態を示す図である。
【図６】電解水循環供給部の構成を示す分解斜視図である。
【図７】ケースを食塩水タンク側パネルの側から見た斜視図である。
【図８】食塩水タンク側パネルをケースの内側から見た斜視図である。
【図９】電装ボックスを含むケースの要部断面図である。
【符号の説明】
【００５７】
４  空気除菌部
５  電解水循環供給部（電解水生成装置）
３０  電装ボックス
３１Ａ  制御基板
３１Ｂ  電源回路部
３３  電気回路部
３０Ｃ  通気口
３０Ｅ  排気口
３１Ａ  制御基板
３１Ｂ  電源回路部
３３  電気回路部
４１Ａ１、４１Ａ２、４１Ｂ１、４１Ｂ２、４１Ｃ１、４１Ｃ２、４１Ｄ１、４１Ｄ２、４１Ｅ１、４１Ｅ２、４１Ｆ１、４１Ｆ２  気液接触部材
５０  ケース
５０Ｃ  配管引出パネル（側面パネル）
５０Ｄ  食塩水タンク側パネル（側面パネル）
５０Ｅ  電装ボックス側パネル
５１  貯水タンク（水槽）
５２  電解ユニット
５３  送水ポンプ（電解水供給ポンプ）
５９  食塩水タンク
７２、７３  電極板
９０、９１  導入孔
９３  ファン
９４  フード
９５  排出孔
９６  通風路
９７  風路
１００  映画館（大空間）
１１０  空気調和機
１２０  除菌室（チャンバ）
１５０  除菌ユニット
【図１】
2010099605.tif 000003
【図２】
2010099605.tif 000004
【図３】
2010099605.tif 000005
【図４】
2010099605.tif 000006
【図５】
2010099605.tif 000007
【図６】
2010099605.tif 000008
【図７】
2010099605.tif 000009
【図８】
2010099605.tif 000010
【図９】
2010099605.tif 000011